(57)【要約】【課題】集塵部に付着した塵埃を効果的に除き、吸引風の低下を減少し、集塵性能を向上させた使い勝手の良い電気掃除機を提供する。【解決手段】集塵室２７及び電動送風機２２を有する掃除機本体１２と、前記集塵室２７を開閉自在に覆う集塵蓋２８と、前記集塵室２７内に着脱自在に装着される集塵ボックス２９と、前記集塵ボックス２９内に配され塵埃を捕集する集塵部３０と、前記集塵ボックス２９に振動動作を加えて前記集塵部３０に付着した塵埃を除く除塵手段３８を設けたもので、前記集塵ボックス２９に振動等の除塵動作を加えることにより集塵部３０全体に振動が伝えられ、集塵部３０に付着した塵埃を確実に、しかも効率的に取り除くことができ、塵埃を集塵し続けても集塵性能が落ち難い電気掃除機を提供できる。【選択図】図２
2006020829.tif 000002
【特許請求の範囲】
【請求項１】
集塵室及び電動送風機を有する掃除機本体と、前記集塵室を開閉自在に覆う集塵蓋と、前記集塵室内に着脱自在に装着される集塵ボックスと、前記集塵ボックス内に配され塵埃を捕集する集塵部と、前記集塵ボックスを振動させて前記集塵部に付着した塵埃を除く除塵手段を設けた電気掃除機。
【請求項２】
除塵手段を集塵ボックスの下面略中央に配置した請求項１に記載の電気掃除機。
【請求項３】
除塵手段はカムを備え、前記カムを回転させて集塵ボックスを略上下方向に動かすようにした請求項１又２に記載の電気掃除機。
【請求項４】
カムの外周表面に複数個の凸部を設けた請求項３に記載の電気掃除機。
【請求項５】
除塵手段の可動部材を軟質材で形成した請求項１〜４のいずれか１項に記載の電気掃除機。
【請求項６】
除塵手段のカムを軟質材で形成した請求項５に記載の電気掃除機。
【発明の詳細な説明】
【技術分野】
【０００１】
本発明は、電気掃除機に関するもので、特に集塵部に付着した塵埃を取り除く除塵手段を有する電気掃除機に関するものである。
【背景技術】
【０００２】
従来のこの種の電気掃除機は、特許文献１に開示されているようなものが一般的であった。この電気掃除機について図７を用いて説明する。
【０００３】
図７は、従来の電気掃除機の掃除機本体前部の断面図であり、掃除機本体１の後方には、吸引用の電動送風機２を内蔵した電動送風機室３が設けられ、前記掃除機本体１の前方には、集塵部である集塵袋４を内蔵した集塵室５が備えられている。前記電動送風機室３と前記集塵室５は、掃除機本体１に設けられた隔壁６によって区画されており、前記隔壁６に設けた連通口８に対向する集塵袋４の面ａに付着する塵埃を除塵する除塵手段９が、掃除機本体１の集塵室５内に配設されている。前記除塵手段９は、制御手段１０にて振動させられる振動板１１により集塵袋４の面ａを叩くように構成されている。
【０００４】
その結果、電動送風機２が発する吸引風で塵埃が吸込まれ、前記集塵袋４に塵埃が蓄積された時、前記振動板１１により、集塵袋４の面ａに、付着した塵埃を叩き除塵することで、空気抵抗を緩和させ吸い込み力の低下を防止することができるようにしている。
【特許文献１】特開平５―９１９６２号公報
【発明の開示】
【発明が解決しようとする課題】
【０００５】
しかしながら、前記従来の電気掃除機の構成では、集塵袋４が紙や布などの軟質材から形成されているので、集塵袋４の内部に付着した微細塵を叩き落とすとき、集塵袋４に接する振動板１１の振動は、集塵袋４の一部のみ叩き、また、軟質材の集塵袋４により振動が吸収されるため、集塵袋４に大きな振動を与えることができなかった。また、集塵袋４に大きな振動を与えようとすると、大きな電力を必要とし、高ランニングコストになるとい問題もあった。
【０００６】
本発明は上記従来の課題を解決しようとするもので、低ランニングコストで集塵袋に大きな振動を伝えることができ、その結果、集塵袋の内部に付着し堆積した塵埃を確実で効果的に取り除き、吸引風の低下を減少させ、集塵性能が向上した電気掃除機を提供することを目的とする。
【課題を解決するための手段】
【０００７】
前記従来の課題を解決するために、本発明の電気掃除機は、集塵室及び電動送風機を有する掃除機本体と、前記集塵室を開閉自在に覆う集塵蓋と、前記集塵室内に着脱自在に装着される集塵ボックスと、前記集塵ボックス内に配され塵埃を捕集する集塵部と、前記集塵ボックスを振動させて前記集塵部に付着した塵埃を除く除塵手段を設けたもので、前記集塵ボックスに振動等の除塵動作を加えることにより集塵部全体に振動が伝えられ、集塵部に付着した塵埃を確実に、しかも効率的に除塵することができ、塵埃を集塵し続けても集塵性能が落ち難い電気掃除機を提供することができる。
【発明の効果】
【０００８】
本発明の電気掃除機は、集塵部の内部に付着し堆積した塵埃を効率的に除塵でき、吸引風の低下を減少させ、集塵性能に優れているものである。
【発明を実施するための最良の形態】
【０００９】
第１の発明は、集塵室及び電動送風機を有する掃除機本体と、前記集塵室を開閉自在に覆う集塵蓋と、前記集塵室内に着脱自在に装着される集塵ボックスと、前記集塵ボックス内に配され塵埃を捕集する集塵部と、前記集塵ボックスを振動させて前記集塵部に付着した塵埃を除く除塵手段を設けたもので、前記集塵ボックスに振動等の除塵動作を加えることにより集塵部全体に振動が伝えられ、集塵部に付着した塵埃を確実に、しかも効率的に除塵することができ、塵埃を集塵し続けても集塵性能が落ち難い電気掃除機を提供することができる。
【００１０】
第２の発明は、特に、第１の発明の除塵手段を集塵ボックスの下面略中央に配置したもので、除塵手段による振動等の除塵動作を集塵ボックスの一部のみならず全体に伝えることが可能となり、除塵手段による除塵効果の拡大が図れるものとなる。
【００１１】
第３の発明は、特に、第１又は第２の発明の除塵手段はカムを備え、前記カムを回転させて集塵ボックスを略上下方向に動かすようにしたもので、カムの形状を変更するだけで、低ランニングコストで集塵ボックスに大きな振動等の除塵動作を伝えることができる。その結果、集塵部の上下方向に付着した塵埃を効率的に取り除くことができる。
【００１２】
第４の発明は、特に、第３の発明のカムの外周表面に複数個の凸部を設けたもので、集塵ボックスに加えられる除塵動作回数が増し、低ランニングコストで集塵ボックスに振動を伝えることができ、集塵部に付着した塵埃を効率的に取り除くことができる。
【００１３】
第５の発明は、特に、第１〜４のいずれか１つの発明の除塵手段の可動部材を軟質材で形成したもので、除塵手段による除塵動作時に、可動部材が集塵ボックスに接触してもその集塵ボックスに傷を付けることがなく、また、除塵動作を加える時の振動音なども軟質材により吸収され、動作音を低減させることができる。
【００１４】
第６の発明は、特に、第５の発明の除塵手段のカムを軟質材で形成したもので、カムが集塵ボックスに傷を付けることがなく、また、集塵ボックスに動作を加える振動音も軟質材によるカムが吸収し振動音を低減させることが可能となる。
【００１５】
以下、本発明の実施の形態について、図面を参照しながら説明する。なお、この実施の形態により、この発明が限定されるものではない。
【００１６】
（実施の形態１）
図１は、本発明の第１の実施の形態における電気掃除機の全体斜視図であり、図２は、同電気掃除機の掃除機本体の断面図であり、図３は、同掃除機本体から集塵ボックスを取外した時の様子を示す図で、図４は、同掃除機本体の要部断面図で、図５は、同掃除機本体の断面正面図である。
【００１７】
図１、図２において、掃除機本体１２は、手元ハンドル１３とホース継ぎ手１４付きのホース１５とを介して延長管１６を連結し、延長管１６に取り付けられ塵埃を吸引する吸込具１７に連通している。また、掃除機本体１２は、枢支された１個の前輪キャスター１８と一対の後輪１９とを備えている。
【００１８】
この掃除機本体１２は、図２に示すように、下本体２０と上本体２１とで外郭を構成している。この掃除機本体１２の後方側に電動送風機２２が配設されており、電動送風機２２は、吸引風を発するもので、前方を第１サポートゴム２３で支持され、後方を第２サポートゴム２４を介して第１モーターカバー２５と第２モーターカバー２６により支持されており、下本体２０に装着し固定するようになっている。
【００１９】
掃除機本体１２の前方側には、集塵室２７が形成され、集塵室２７上方には、この集塵室２７を開閉自在に覆う集塵蓋２８を有している。また、集塵室２７内には集塵ボックス２９が着脱自在に装着されている。この集塵ボックス２９は、上方が開放され略箱状に形成されており、内側には、塵埃を捕集する紙袋等からなる集塵部３０が着脱自在に具備されており、集塵ボックス２９の両端には集塵ボックス２９を持運ぶ把手部３１が回動自在に設けられている。
【００２０】
集塵室２７内に配設された集塵ボックス２９は、図３で示すように、集塵蓋２８を開くことにより、集塵室２７内から取出すことができる。また、図２において、電動送風機室３２と集塵室２７を仕切る仕切壁３３は、下本体２０より立設して形成されており、この仕切壁３３の上方にはパッキン３４が設けられている。
【００２１】
このパッキン３４にて集塵室２７内の空気タイトを行い気密性を確保している。電動送風機２２の前方の仕切壁３３には連通口３５が設けられ、電動送風機２２と、集塵室２７とが連通するようになっている。図２、図４及び、図５において、集塵ボックス２９の下部で、集塵室２７の下部の空間には、電動機３６が収納され、その電動機３６の軸にはカム３７が固定されている。
【００２２】
このカム３７の上部には、振動板３８ａが配設されている。この振動板３８ａの両端にはバネ３９が取付けられており、振動板３８ａが上下自在に移動できるようになっている。また、このカム３７は回転する時に、振動板３８ａを押し上げる位置に設置されている。このようにして、電動機３６とカム３７と振動板３８ａとで、集塵ボックス２９に塵除動作を加える除塵手段３８を構成している。
【００２３】
以上のように構成された電気掃除機の除塵手段３８について、以下にその動作、作用を説明する。
【００２４】
電動機３６を駆動させると、カム３７も同時に回転する。これにより振動板３８ａが上下方向に移動し、同時に集塵ボックス２９の下部が振動し、集塵ボックス２９内の集塵部３０に入り込んで付着した微細塵は振い落とされることとなり、通気性が回復する。これによって、初期の吸込み力が長く維持できることとなり最後まで強い吸込み性が維持できる。
【００２５】
図２において、集塵ボックス２９に、動作を加える振動板３８ａは、この集塵ボックス２９の下面で略中央に配置されている。
【００２６】
このことにより、振動板３８ａからの振動を集塵ボックス２９の全体に振動を伝えることが容易で簡単となり、除塵手段３８における、除塵効果の拡大が図れることとなる。又図４において、電動機３６と連結されたカム３７が回転することにより、振動板３８ａを押し上げられ、集塵ボックス２９に、略上下方向に振動を加える構成としたことにより、電動機３６の回転速度やカム３７の形状を変更することで、簡単な構成で且つ、低ランニングコストで集塵ボックス２９に振動による除塵動作を伝えることができる。その結果、集塵部３０の上下方向に付着した塵埃を効率的に除塵できることとなる。
【００２７】
図６は、カム３７の外周表面に複数個の凸部４０を設けた例を示すもので、このようにすることにより、凸部４０が集塵ボックス２９が載置された振動板３８ａの表面に接触する回数が増し、集塵ボックス２９に与える振動回数が増え集塵部３０に付着した塵埃をより効率的に除塵できるようになる。
【００２８】
また、可動部材の１つである振動板３８ａを軟質材で形成すると、電動機３６と連動するカム３７が回転し振動板３８ａが上下に振動したとき時、振動板３８ａが集塵ボックス２９に傷を付けることがなくなり、また、集塵ボックス２９に動作を加える振動音も軟質材による振動板３８ａが吸収し振動音を低減させることも可能である。
【００２９】
また、電動機３６と連動しているカム３７を軟質材で形成すると、カム３７が回転した時、カム３７が振動板３８ａに傷を付けることがなくなり、また、振動板３８ａに動作を加える振動音も軟質材によるカム３７が吸収し振動音を低減させることが可能となる。
【産業上の利用可能性】
【００３０】
以上のように、本発明にかかる電気掃除機は、集塵部の内部に付着し堆積した塵埃を効果的に除塵でき、吸引風の低下を減少し、集塵性能を向上させることができ、家庭用、業務用の電気掃除機、集塵機に広く適用できる。
【図面の簡単な説明】
【００３１】
【図１】本発明の実施の形態１における電気掃除機の全体斜視図
【図２】同電気掃除機の掃除機本体の断面図
【図３】同掃除機本体から集塵ボックスを取外した時の様子を示す図
【図４】同掃除機本体の要部断面図
【図５】同掃除機本体の断面正面図
【図６】他の例を示す電気掃除機の要部断面図
【図７】従来の電気掃除機の掃除機本体前部の断面図
【符号の説明】
【００３２】
１２    掃除機本体
２２    電動送風機
２７    集塵室
２８    集塵蓋
２９    集塵ボックス
３０    集塵部
３６    電動機
３７    カム
３８    除塵手段
３８ａ  振動板
４０    凸部
【図１】
2006020829.tif 000003
【図２】
2006020829.tif 000004
【図３】
2006020829.tif 000005
【図４】
2006020829.tif 000006
【図５】
2006020829.tif 000007
【図６】
2006020829.tif 000008
【図７】
2006020829.tif 000009